(57)【要約】一対の支持体（３ａ、３ｂ）によって構成されるフレーム（２）と、第１アームレスト及び第２アームレスト（１６，１７）と共に回転可能に関連付けられた第１プレート及び第２プレート（６，７）とを備える多機能シートユニット（１）であって、前記一対の支持体（３ａ、３ｂ）は、Ｘ状配置で交差され、前記支持体（３ａ、３ｂ）の各々は、一対の第１脚部及び第２脚部（４ａ、４ｂ、５ａ、５ｂ）を定め、Ｘ状配置で旋回し、前記フレーム（２）は、第１アームレスト（１６）及び第２アームレスト（１７）、更にシート（３５）を部分的に上昇／下降させ、部分的に縮小／拡大を可能にするように適合された平行四辺形機構を備え、これらが、シートユニット（１）および一対の第１脚部（４ａ、４ｂ）及び第２脚部（５ａ、５ｂ）の部分的な縮小／拡大を構成し、シートユニット（１）は、第１ケース（２６ａ）及び第２ケース（２６ｂ）から構成される後部（２５）を備え、第１ケース（２６ａ）及び第２ケース（２６ｂ）は、横向きであり、固定された中央支持体（２７）上で折り畳める。【選択図】  図１
2019510530.tif 000002
【特許請求の範囲】
【請求項１】
多機能シートユニット（１）において、
一対の支持体（３ａ、３ｂ）によって構成されるフレーム（２）と、第１アームレスト及び第２アームレスト（１６，１７）と共に回転可能に関連付けられた第１プレート及び第２プレート（６，７）とを備える多機能シートユニット（１）であって、前記一対の支持体（３ａ、３ｂ）は、Ｘ状配置で交差され、前記支持体（３ａ、３ｂ）の各々は、一対の第１脚部及び第２脚部（４ａ、４ｂ、５ａ、５ｂ）を定め、Ｘ状配置で旋回し、前記フレーム（２）は、第１アームレスト（１６）及び第２アームレスト（１７）、更にシート（３５）を部分的に上昇／下降させ、部分的に縮小／拡大を可能にするように適合された平行四辺形機構を備え、これらが、前記シートユニット（１）および前記一対の第１脚部（４ａ、４ｂ）及び第２脚部（５ａ、５ｂ）の部分的な縮小／拡大を構成し、前記シートユニット（１）は、第１ケース（２６ａ）及び第２ケース（２６ｂ）から構成される後部（２５）を備え、前記第１ケース（２６ａ）及び前記第２ケース（２６ｂ）は、横向きであり、固定された中央支持体（２７）上で折りたためる、シートユニット（１）。
【請求項２】
前記一対の第１脚部（４ａ、４ｂ）及び第２脚部（５ａ、５ｂ）は、一端で上部領域内において前記第１プレート（６）及び第２プレート（７）と関連付けられ、前記第１プレート（６）及び第２プレート（７）は相互に反対側に配置され、正面から見るときに実質的に台形を有し、前記第１プレート（６）及び第２プレート（７）の各々は、床に向けられる長い平行側面（８ａ、８ｂ）と、先のものに対して平行であり、反対方向に向けられる短い平行側面（９ａ、９ｂ）とを備え、前記長い平行側面（８ａ、８ｂ）は、前記第１脚部（４ａ、４ｂ）及び第２脚部（５ａ、５ｂ）の前記旋回点（１１）で交差する第１傾斜側面（１０ａ、１０ｂ）によって、更に、前記シートユニット（１）の外側に向けられ、前記第１側面（１０ａ、１０ｂ）の前記傾斜に対して低い傾斜を有する第２側面（１２ａ、１２ｂ）によって、前記短い平行側面（９ａ、９ｂ）と混ぜ合わされることを特徴とする、請求項１に記載のシートユニット（１）。
【請求項３】
前記シートユニット（１）が下降され拡大された状態において、肘掛け椅子（１３）を定める為に、前記第１側面（１０ａ、１０ｂ）は、第１Ｖ状スプリット（１４）が前記第１側面（１０ａ、１０ｂ）の間に形成されるような位置をとり、前記支持体（３ａ、３ｂ）の移動を制限／ブロックするように適合された手段を定めることを特徴とする、請求項２に記載のシートユニット（１）。
【請求項４】
前記第１アームレスト（１６）及び第２アームレスト（１７）の第１端部が第１摺動又は誘導バー（１５ａ、１５ｂ）によって回転できるように関連付けられ、前記第１摺動又は誘導バー（１５ａ、１５ｂ）は、前記第２側面（１２ａ、１２ｂ）および前記長い平行側面（８ａ、８ｂ）の間の前記交差点において、前記シートユニット（１）に対して縦に配置されることを特徴とする、請求項１〜３のいずれか一項に記載のシートユニット（１）。
【請求項５】
前記第１バー（１５ａ、１５ｂ）上を前記床の方向に実質的に誘導される、適合されたストラップ（２１ａ、２１ｂ）の前記第１端部（２０ａ、２０ｂ）を固定する為の第２バー（１９ａ、１９ｂ）は、前記第１アームレスト（１６）及び第２アームレスト（１７）の自由な前記第２端部（１８ａ、１８ｂ）において、前記シートユニット（１）に対して縦に安定して位置決めされることを特徴とする、請求項１〜４のいずれか一項に記載のシートユニット（１）。
【請求項６】
上方に配置される前記ストラップ（２１ａ、２１ｂ）の摺動又は誘導の為の第３バー（２２ａ、２２ｂ）は、前記シートユニット（１）に対して縦に、前記第２側面（１２ａ、１２ｂ）および前記短い平行側面（９ａ、９ｂ）の間の交差点で位置決めされ、
前記第３バー（２２ａ、２２ｂ）は、前記シートユニット（１）の全ての状態の運動において、前記第１バー（１５ａ、１５ｂ）が位置する前記平面の上方に位置し、又は、多くとも同一の前記平面上に位置することを特徴とする、請求項１〜５のいずれか一項に記載のシートユニット（１）。
【請求項７】
前記ストラップ（２１ａ、２１ｂ）の前記第２端部（２３ａ、２３ｂ）は、前記シートユニット（１）に対して縦に、Ｘ凹配置に交差された前記支持体（３ａ、３ｂ）の前記旋回点（１１）に隣接した領域で、前記シートユニット（１）の前記第１脚部（４ａ、４ｂ）および第２脚部（５ａ、５ｂ）の間に結合された第４摺動又は誘導バー（２４ａ、２４ｂ）と関連付けられ、前記第４バー（２４ａ、２４ｂ）は、前記シートユニット（１）の全ての状態の運動において、前記第１バー（１５ａ、１５ｂ）が位置する平面の下方に位置する平面上で、前記第３バー（２２ａ、２２ｂ）に対して前記旋回点（１１）に近い領域内に位置することを特徴とする、請求項１〜６のいずれか一項に記載のシートユニット（１）。
【請求項８】
前記第１ケース（２６ａ）および第２ケース（２６ｂ）は、前記シートユニット（１）の背面に対して配置された前記第１脚部（４ｂ）および第２脚部（５ｂ）の上方に位置する下端面（２８ａ、２８ｂ）と、それぞれ、前記第１アームレスト（１６）及び第２アームレスト（１７）、第４内側面（３０ａ、３０ｂ）、上端面（３１ａ、３１ｂ）に安定して接続される第３外側面（２９ａ、２９ｂ）と、を備えることを特徴とする、請求項１〜７のいずれか一項に記載のシートユニット（１）。
【請求項９】
前記シートユニット（１）が下降され拡大される状態において、前記肘掛け椅子（１３）を形成するため、前記第４側面（３０ａ、３０ｂ）は、前記中央支持体（２７）によって隠される第２Ｖ状スプリット（３２）が、前記第４側面（３０ａ、３０ｂ）の間に形成されるような位置をとることを特徴とする、請求項１〜８のいずれか一項に記載のシートユニット（１）。
【発明の詳細な説明】
【技術分野】
【０００１】
本発明は、多機能シートユニットに関する。
【０００２】
今日、僅かに傾斜された後部、腰掛部分、アームレストを備え、低くて拡大された腰掛部によって構成される肘掛け椅子であって、手足を支持する為に適切なスペースを呈し、快適かつ一杯に伸ばした支持体を与える肘掛け椅子が知られている。
【０００３】
また、肘掛け椅子は、使用者が、横たえる快適な位置をとれる為に、後部の移動および／または腰掛部分の移動および／またはフットレストの移動および／またはアームレストの移動を可能にするように適合された手段を備える。
【０００４】
ダイニングテーブルまたはデスクの前で使用者の胴体を直立した位置で配置する為に、労力を有することなく垂直位置で胴体を支持する為に、実質的に直角に曲げられた脚部を備えた、高くて縮小された腰掛部によって構成される椅子が知られている。
【０００５】
脚部の移動、腰掛部分の移動および／または後部の移動を可能にするように適合された手段を備え、それらをコンパクトな位置に置き、そのような２つ以上の椅子を任意で互いに積み重ね、占有スペースを最小限に減少させる折り畳み式椅子も知られている。
【０００６】
アームレストの移動および／または腰掛部分の移動および／または後部の移動を可能にするように適合された手段を備え、ソファ構成またはベッド構成の一方をとることができるソファが更に知られている。
【０００７】
最近の居住施設の、ますます減少するスペースを最も良好に最適化する為に、肘掛け椅子、椅子、ソファによってとり得る、そのような異なる形状構造体が求められている。
【０００８】
そのような肘掛け椅子又は椅子又はソファが取り得る他用途または配置は、知られていない。
【０００９】
本発明は、スペースを節約しつつ、迅速かつ簡単に異なる形式の用途を簡単に利用することができるシートユニットを案出することを目的とする。
【００１０】
この目的の範囲内で、本発明の目的は、構造的に質素であり、動かすのがシンプルであり、満足できる美的成果を達成し、低コストであり、通常の慣例システムが設けられるシートユニットを得ることである。
【００１１】
以下、明らかにされる目標および他の目的は、Ｘ状配置に交差される一対の支持体によって構成されたフレームと、第１アームレスト及び第２アームレストと共に回転可能に関連付けられた第１プレート及び第２プレートとを備える多機能シートユニットによって達成されるが、前記支持体の各々は、一対の第１脚部及び第２脚部を定め、Ｘ状配置に旋回され、前記フレームは、前記第１アームレスト及び第２アームレスト、更にシートを部分的に上昇／下降および部分的に縮小／拡大させることを可能にするように適合された平行四辺形機構を備え、これらが、前記シートユニットおよび前記一対の第１脚部及び第２脚部の部分的な縮小／拡大を構成し、前記シートユニットは、第１ケース及び第２ケースから構成される後部を備え、前記第１ケース及び前記第２ケースは、横向きであり、固定された中央支持体上で折りたためる。
【図面の簡単な説明】
【００１２】
本発明の更なる特徴および利点は、特定ではあるが排他的ではない本発明の実施形態の詳細な説明から良好に明らかになるが、これは、添付図面において、非限定的実施例によって図示される。
【図１】図１は、下降され拡大されたシートユニットの正面からの斜視図である。
【図２】図２は、下降され拡大されたシートユニットの正面図である。
【図３】図３は、クッション及び後部を持たない、下降され拡大されたシートユニットの正面図である。
【図４】図４は、下降され拡大されたシートユニットの背面からの斜視図である。
【図５】図５は、上昇され縮小されたシートユニットの正面からの斜視図である。
【図６】図６は、上昇され縮小されたシートユニットの正面図である。
【図７】図７は、クッション及び後部を持たない、上昇され縮小されたシートユニットの正面図である。
【図８】図８は、上昇され縮小されたシートユニットの背面からの斜視図である。
【００１３】
【詳細な説明】
【００１４】
図示された例示的実施形態において、特定実施例に関連して示された個々の特徴は、実際には、他の例示的実施形態に存在する、他の異なる特徴と置き換えることができる。
【００１５】
さらに、特許処理中に既に知られていることが判明したものは、請求されていないと理解され、権利放棄（disclaimer）の対象であることに留意されたい。
【００１６】
図面に関連して、参照符合１は、全体的に多機能シートユニットを示し、これは、フレーム２を備え、フレーム２は、一対の支持体３ａ、３ｂによって構成され、これらの支持体３ａ、３ｂは、Ｘ状配置で交差している。
【００１７】
一対の支持体３ａ、３ｂは、一対の第１脚部４ａ、４ｂ及び第２脚部５ａ、５ｂを定め、これらの脚部４ａ、４ｂ、５ａ、５ｂは、Ｘ状配置で旋回され、上部領域において一端で、第１プレート６及び第２プレート７と関連付けられ、第１プレート６及び第２プレート７は、相互に反対に配置され、正面から見たとき、実質的に台形状を有する。
【００１８】
そのような第１プレート６及び第２プレート７は、長い平行側面８ａ、８ｂおよび短い平行面９ａ９ｂを備え、長い平行側面８ａ、８ｂは、床の方に向けられ、短い平行面９ａ９ｂは、先（長い平行側面８ａ、８ｂ）の一方に対して平行であり、反対方向に向けられている。
【００１９】
長い平行側面８ａ、８ｂは、短い平行側面９ａ、９ｂと第１傾斜側面１０ａ、１０ｂによって混ぜ合わされ、第１傾斜側面１０ａ、１０ｂは、第１脚部４ａ、４ｂ及び第２脚部５ａ、５ｂの旋回点１１で交差し、その第２側面１２ａ、１２ｂによって、これらは、傾斜され、シートユニット１の外側の方に向けられ、第１側面１０ａ、１０ｂの傾斜に対して、低い傾斜を有する。
【００２０】
肘掛け椅子１３を定めるように図１から図４に図示されたシートユニット１が下降され、拡大される状況において、第１側面１０ａ、１０ｂは、第１Ｖ状スプリット１４が、それらの間に形成される位置をとる。
【００２１】
第１アームレスト１６及び第２アームレスト１７の第１端部は、第１摺動又は誘導バー１５ａ、１５ｂによって、回転できるように関連付けられ、第１摺動又は誘導バー１５ａ、１５ｂは、第２側面１２ａ、１２ｂ及び長い平行側面８ａ、８ｂの間の交差点において、シートユニット１に対して、縦に配置されている。
【００２２】
示された実施形態において、非限定の実施例によって、後に第１バー１５ａ、１５ｂ上で床方向に誘導される適応ストラップ２１ａ、２１ｂの第１端部２０ａ、２０ｂを固定させる為に、第２バー１９ａ、１９ｂは、第１アームレスト１６，第２アームレスト１７の、自由な第２端部１８ａ、１８ｂにおいて、シートユニット１に対して縦に安定して位置している。
【００２３】
第３バー２２ａ、２２ｂの上方に配置されたストラップ２１ａ、２１ｂの摺動又は案内の為に、第３バー２２ａ、２２ｂは、シートユニット１に対して縦に、第２側面１２ａ、１２ｂおよび短い平行側面９ａ、９ｂの間の交差点に位置している。
【００２４】
第３バー２２ａ、２２ｂは、シートユニット１のあらゆる状態の動きにおいて、第１バー１５ａ、１５ｂが位置する平面の上方に位置する平面に位置するか、多くとも同一の平面上に位置する。
【００２５】
ストラップ２１ａ、２１ｂの第２端部２３ａ、２３ｂは、シートユニット１に対して縦で、第４摺動又は誘導バー２４ａ、２４ｂと関連付けられ、第４摺動又は誘導バー２４ａ、２４ｂは、Ｘ状配置で交差する支持体３ａ、３ｂの旋回点１１に隣接した領域で、シートユニと１の第１脚部４ａ、４ｂ及び第２脚部５ａ、５ｂの間で結合されている。
【００２６】
第４バー２４ａ、２４ｂは、シートユニット１の、あらゆる状態の動きにおいて、第３バー２２ａ、２２ｂに対して旋回点に近い領域において、第１バー１５ａ、１５ｂが位置する平面の下方に位置する平面に位置する。
【００２７】
シートユニット１は、後部２５を備え、後部２５は、第１ケース２６ａ及び第２ケース２６ｂから構成され、これらのケース２６ａ、２６ｂは、横にあり、固定された中央支持体２７上で折り畳める。
【００２８】
第１ケース２６ａ、第２ケース２６ｂの各々は、下端面２８ａ、２８ｂと、第３外側面２９ａ、２９ｂと、第４内側面３０ａ、３０ｂと、上端面３１ａ、３１ｂとを備え、下端面２８ａ、２８ｂは、第１脚部４ｂ及び第２脚部５ｂの上方に位置し、第１脚部４ｂ及び第２脚部５ｂは、シートユニット１の背面に配置され、第３外側面２９ａ、２９ｂは、それぞれ、第１アームレスト１６及び第２アームレスト１７に接続されている。
【００２９】
肘掛け椅子１３を定めるように図１〜図４に図示された、シートユニット１が下降され、拡大される状態において、第４側面３０ａ、３０ｂは、中央支持体２７によって隠される第２Ｖ状スプリット３２が、第４側面３０ａ、３０ｂの間に形成されるような位置をとる。
【００３０】
固定された中央支持体２７は、安定して弾性手段によって第１ケース２６ａ及び第２ケース２６ｂに接続されている。
【００３１】
多機能シートユニット１は、第１Ｖ状スプリット１４のような限定及びブロック手段と、少なくとも一つのバネのようなアシスト手段と、椅子３３を定めるように図５〜図８に図示されたシートユニット１が上昇されて縮小される状態において、第１アームレスト１６，第２アームレスト１７の回転の為の手段とを備える。
【００３２】
シートユニット１を完成させるため、アームレスト上の後部で横に、適合したクッション３４を腰掛部分３５に配置できる。
【００３３】
肘掛け椅子１３を定めるようにシートユニット１が下降されて拡大される状態において、第１プレート６及び第２プレート７は、同一の水平平面上に位置し、第１プレート６及び第２プレート７の間には第１Ｖ状スプリット１４があり、第１アームレスト１６及び第２アームレスト１７は外方に傾斜され、後部２５の第１ケース２６ａ及び第２ケース２６ｂの間には第２Ｖ状スプリット３２があり、第２Ｖ状スプリット３２は、後部２５として作用する中央支持体２７を露出させる。
【００３４】
椅子３３を定めるように、シートユニット１が下降され拡大される状態からシートユニット１が上昇され縮小される状態への移行は、第１アームレスト１６及び第２アームレスト１７の回転によって生じ、これらは、ストラップ２１ａ、２１ｂに張力をかけ、第１バー１５ａ、１５ｂ及び第３バー２２ａ、２２ｂ上の適合されたガイドの力で、一対の第１脚部４ａ、４ｂ及び第２脚部５ａ、５ｂの回転および第１プレート６及び第２プレート７の回転を強制し、これらが、Ｘ状配置に交差される支持体３ａ、３ｂを構成する。
【００３５】
椅子３３を定めるように図５〜図８に図示されるシートユニット１が上昇され縮小される状態において、第１プレート６及び第２プレート７は、傾斜され、一対の第１脚部及び第２脚部とともに、正面から見るときにＸのように形成される構造をとり、第１プレート６，７の第１側面１０ａ、１０ｂは、第１Ｖ状スプリット１４を閉鎖するように相互に接触して置かれ、よって、第１Ｖ状スプリット１４は、Ｘ状配置に交差された支持体３ａ、３ｂに伝達可能な回転を制限する。
【００３６】
第１アームレスト１６及び第２アームレスト１７は、実質的に相互に平行に配置され、後部の第１ケース２６ａ及び第２ケース２６ｂの第４側面３０ａ、３０ｂは相互に接触して置かれる。
【００３７】
そのため、本発明が完全に意図された目標及び目的を達成すること、スペースを節約しつつ、異なる形式の用途、特に、肘掛け椅子１３を定めるようにシートユニット１が下降され拡大される状況、椅子３３を定めるようにシートユニット１が上昇され縮小される状況の利点を、迅速かつ簡単に受ける為に、これを可能にするシートユニット１が得られたことが分かる。
【００３８】
これによって、シートユニット１は、居住施設の内部環境において、スペースを最適化することが分かった。
【００３９】
シートユニット１は、肘掛け椅子の人間工学的な特徴を維持しつつ、椅子の人間工学的な特徴を変えずに維持しつつ、切替えを実行する為に、部品を追加する必要がなく、組立動作を有することなく、単純な運動で単純な機構が動作することから、構造的に質素であり、動かすことがシンプルであることが分かった。
【００４０】
最後に、本発明は、満足な美的成果を達成することを可能にし、低コストであり、通常の慣例システムが設けられることが分かった。
【００４１】
本発明は、数多くの変形および変更を受けやすいが、これらの全ては、添付請求項の範囲内にある。
【００４２】
もちろん、本発明の個々の構成要素ならびに使用される材料は、特定の要件に従って、より適切であり得る。
【００４３】
有利で便利なものとして前述された特徴も、欠如しているか、同等の特徴で置き換えられてもよい。
【００４４】
本願が優先権を主張するイタリア特許出願第102016000022171 (UA2016A001304) の開示内容は、参考の為に本願に組み込まれる。
【００４５】
任意の請求項で言及された技術的特徴は参照符合が続くが、これらの参照符合は、請求項の理解を高める為に含まれており、そのような参照符合は、そのような参照符合による実施例により認識される各要素の解釈において、限定する効果を有するものではない。
【図１】
2019510530.tif 000003
【図２】
2019510530.tif 000004
【図３】
2019510530.tif 000005
【図４】
2019510530.tif 000006
【図５】
2019510530.tif 000007
【図６】
2019510530.tif 000008
【図７】
2019510530.tif 000009
【図８】
2019510530.tif 000010
【国際調査報告】
2019510530.tif 000011
2019510530.tif 000012